(57)【要約】【課題】良好な密着性を得ることができ、吸収体の密着性を向上できるとともに、漏れを防止でき、かつ製造コストを低減できる使い捨て吸収性物品を提供する。【解決手段】背側脚回り弾性体部３３と腹側脚回り弾性体部３４を脚回り部１８に沿ってそれぞれ有する脚回り弾性領域３１を脚回り弾性体２４に設ける。使用者の脚回りでの密着性が良好になる。中央弾性領域に位置して吸収体本体２に外装シート３との接合を剥離した非接合部１４を設ける。中央弾性領域の収縮により吸収体本体２が外装シート３から浮き上がって使用者への股下への密着性を向上できて漏れを防止できる。脚回り弾性体２４の伸張率を配設位置によって変化させる必要がなく、製造が容易で製造コストを低減できる。【選択図】        図１
2004248769.tif 000002
【特許請求の範囲】
【請求項１】
透液性表面シート、不透液性裏面シートおよびこれら透液性表面シートと不透液性裏面シートとの間に配設された吸収体を有する吸収体本体と、
この吸収体本体の前記不透液性裏面シート側に一部が接合され、背側胴回り部、両側に脚回り部を切り欠き形成した股下回り部、および腹側胴回り部が長手方向に順次一体的に形成され、かつ前記背側胴回り部の幅方向両側部と前記腹側胴回り部の幅方向両側部とがそれぞれ接合されて腰回り開口部および一対の脚回り開口部が形成される外装シートと
を備えた吸収性物品体を具備し、
前記外装シートは、前記吸収体側に位置する内側シート片と使用者の衣服側に位置する外側シート片とを有し、
前記内側シート片と外側シート片との間に脚回り弾性体が配設され、
この脚回り弾性体は、
背側に位置する背側脚回り弾性体部および腹側に位置する腹側脚回り弾性体部を前記両脚回り部に沿って有する脚回り弾性領域と、
前記背側脚回り弾性体部および前記腹側脚回り弾性体部から前記吸収性物品体の幅方向の中心側に延出した中央弾性体部を備えた中央弾性領域とを有し、
前記吸収体は、前記透液性表面シートと不透液性裏面シートとの間の少なくとも股下回り部の略中心域に配設され、
前記吸収体本体は、幅方向全体に亘って前記外装シートとの接合が剥離された非接合部を前記中央弾性領域に位置して有している
ことを特徴とした使い捨て吸収性物品。
【請求項２】
非接合部は、吸収性物品体の長手方向に沿った寸法が、中央弾性領域の前記吸収性物品体の長手方向に沿った寸法より大きく、かつ吸収体の長手寸法に対して４％以上３０％以下である
ことを特徴とした請求項１記載の使い捨て吸収性物品。
【請求項３】
脚回り弾性体は、複数配設され、
一方の脚回り弾性体は、一方の背側脚回り弾性体部、中央弾性体部および前記背側脚回り弾性体部と吸収性物品体の幅方向の反対側に位置した一方の腹側脚回り弾性体部にて形成され、
他方の脚回り弾性体は、前記一方の背側脚回り弾性体部と前記吸収性物品体の幅方向の反対側に位置した他方の背側脚回り弾性体部、前記中央弾性体部および前記一方の腹側脚回り弾性体部と前記吸収性物品体の幅方向の反対側に位置した他方の腹側脚回り弾性体部にて形成されている
ことを特徴とした請求項１または２記載の使い捨て吸収性物品。
【請求項４】
両脚回り部は、腹側胴回り部寄りの位置で外装シートの幅寸法が最も小さくなるように凹状に切り欠き形成され、
中央弾性領域は、前記外装シートの幅寸法が最も小さい部分に位置して配設されている
ことを特徴とした請求項１ないし３いずれか一記載の使い捨て吸収性物品。
【請求項５】
外装シートの幅方向の中心域にて内側シート片および外側シート片の間に非接合部と交差するように配設された弾性体を備え、
この弾性体は、前記非接合部の吸収性物品体の長手方向に沿った寸法より大きく吸収体本体の長手寸法より小さい長さ寸法を有している
ことを特徴とした請求項１ないし４いずれか一記載の使い捨て吸収性物品。
【発明の詳細な説明】
【０００１】
【発明の属する技術分野】
本発明は、例えば大人用、あるいは失禁用などのパンツ型の使い捨て吸収性物品に関する。
【０００２】
【従来の技術】
従来、この種の使い捨て吸収性物品は、透液性表面シートと不透液性裏面シートとの間に吸収体が配設された吸収体本体の衣服面側に外装シートが接合された吸収性物品体を備えている。この吸収性物品体の外装シートには、長手方向に沿って背側胴回り部、一対の脚回り部を備えた股下回り部および腹側胴回り部が順次一体に形成されている。また、吸収性物品体は、背側胴回り部および腹側胴回り部の幅方向の両側部が接合されて腰回り開口部および一対の脚回り開口部が形成されるパンツ形状に予め形成されている。さらに、腰回り開口部の周縁となる背側胴回り部および腹側胴回り部には、腰回り開口部が略実質的に全周に亘って伸縮するように弾性体が配設されている。そして、外装シートには、一方の脚回り部から股下回り部を横切って他方の脚回り部へと、吸収性物品体の展開状態で略Ｕ字状になるように連続的に脚回り弾性体が配設されている（例えば、特許文献１参照。）。また、脚回り弾性体を、両脚回り部近傍での伸張応力が小さく、股下回り部での伸張応力が大きくなるように配設した構成も知られている（例えば、特許文献２参照。）。
【０００３】
【特許文献１】
特開平５−３１１３５号公報（第３−５頁、図２）
【０００４】
【特許文献２】
特開平７−２８９５８８号公報（第３−４頁、図２）
【０００５】
【発明が解決しようとする課題】
しかしながら、上述の特許文献１記載の使い捨て吸収性物品では、吸収体本体と外装シートとが略全体に接合されているため、使用者が装着している間に吸収性物品体がずれて外装シートが使用者の肌から離れてしまうと吸収体も使用者の肌から離れてしまい、漏れを生じるおそれがあるという問題がある。
【０００６】
また、吸収体を使用者の股下に密着させるために、脚回り弾性体の股下回り部に位置し吸収体本体を横切る部分の伸張応力を大きくしても、吸収体本体の剛性に妨げられて充分な収縮性を得ることが容易でないとともに、脚回り弾性体の脚回り部近傍に位置する部分の伸張応力も必要以上に大きくなることで使用者の脚回りに跡を残してしまうおそれがあり、吸収体の密着性を向上させることが容易でないという問題もある。
【０００７】
さらに、上述の特許文献２記載の使い捨て吸収性物品では、脚回り弾性体の伸張応力を部分的に変えなければならないため、製造が容易でなく、かつ製造速度が遅くなり結果として製造コストが増加するおそれがある。
【０００８】
本発明はこのような点に鑑みなされたもので、良好な密着性を得ることができ、吸収体の密着性を向上できるとともに、漏れを防止でき、かつ製造コストを低減できる使い捨て吸収性物品を提供することを目的とする。
【０００９】
【課題を解決するための手段】
請求項１記載の使い捨て吸収性物品は、透液性表面シート、不透液性裏面シートおよびこれら透液性表面シートと不透液性裏面シートとの間に配設された吸収体を有する吸収体本体と、この吸収体本体の前記不透液性裏面シート側に一部が接合され、背側胴回り部、両側に脚回り部を切り欠き形成した股下回り部、および腹側胴回り部が長手方向に順次一体的に形成され、かつ前記背側胴回り部の幅方向両側部と前記腹側胴回り部の幅方向両側部とがそれぞれ接合されて腰回り開口部および一対の脚回り開口部が形成される外装シートとを備えた吸収性物品体を具備し、前記外装シートは、前記吸収体側に位置する内側シート片と使用者の衣服側に位置する外側シート片とを有し、前記内側シート片と外側シート片との間に脚回り弾性体が配設され、この脚回り弾性体は、背側に位置する背側脚回り弾性体部および腹側に位置する腹側脚回り弾性体部を前記両脚回り部に沿って有する脚回り弾性領域と、前記背側脚回り弾性体部および前記腹側脚回り弾性体部から前記吸収性物品体の幅方向の中心側に延出した中央弾性体部を備えた中央弾性領域とを有し、前記吸収体は、前記透液性表面シートと不透液性裏面シートとの間の少なくとも股下回り部の略中心域に配設され、前記吸収体本体は、幅方向全体に亘って前記外装シートとの接合が剥離された非接合部を前記中央弾性領域に位置して有しているものである。
【００１０】
そして、背側に位置する背側脚回り弾性体部および腹側に位置する腹側脚回り弾性体部を脚回り部に沿ってそれぞれ有する脚回り弾性領域を脚回り弾性体に設けることで、使用者の脚回りでの密着性が良好になり、中央弾性領域に位置して吸収体本体に外装シートとの接合を剥離した非接合部を設けることにより中央弾性体部が吸収体本体の剛性の影響を受けにくくなり中央弾性領域が収縮しやすくなるため、この中央弾性領域の収縮により吸収体本体が外装シートから浮き上がって使用者への股下への密着性が向上し漏れを防止し、かつ例えば脚回り弾性体の伸張率を配設位置によって変化させるなどの必要がなく、製造が容易で製造コストが低減される。
【００１１】
請求項２記載の使い捨て吸収性物品は、請求項１記載の使い捨て吸収性物品において、非接合部は、吸収性物品体の長手方向に沿った寸法が、中央弾性領域の前記吸収性物品体の長手方向に沿った寸法より大きく、かつ吸収体の長手寸法に対して４％以上３０％以下であるものである。
【００１２】
そして、非接合部の吸収性物品体の長手方向に沿った寸法を、中央弾性領域の吸収性物品体の長手方向に沿った寸法より大きく、かつ吸収体の長手寸法に対して４％以上３０％以下とすることにより、脚回り弾性体の伸張応力で吸収体の幅寸法が必要以上に短くなることを防止して、使用者の肌への吸収体の密着性がより向上し、より確実に漏れを防止する。
【００１３】
請求項３記載の使い捨て吸収性物品は、請求項１または２記載の使い捨て吸収性物品において、脚回り弾性体は、複数配設され、一方の脚回り弾性体は、一方の背側脚回り弾性体部、中央弾性体部および前記背側脚回り弾性体部と吸収性物品体の幅方向の反対側に位置した一方の腹側脚回り弾性体部にて形成され、他方の脚回り弾性体は、前記一方の背側脚回り弾性体部と前記吸収性物品体の幅方向の反対側に位置した他方の背側脚回り弾性体部、前記中央弾性体部および前記一方の腹側脚回り弾性体部と前記吸収性物品体の幅方向の反対側に位置した他方の腹側脚回り弾性体部にて形成されているものである。
【００１４】
そして、このような構成により、各脚回り弾性領域と中央弾性領域とが一体的に作用するとともに、脚回り弾性体が外装シートに対角線状に配設されるので、使用者の肌への密着性がより向上し、また、中央弾性領域に位置する脚回り弾性体の本数が各脚回り弾性領域に位置する脚回り弾性体の本数よりも多くなるため、中央弾性領域の伸張応力が各脚回り弾性領域の伸張応力より大きくなるので、吸収体本体が容易に外装シートから浮き上がって吸収体の使用者の股下への密着性がより向上し、かつ脚回りを必要以上に締め付けることがない。
【００１５】
請求項４記載の使い捨て吸収性物品は、請求項１ないし３いずれか一記載の使い捨て吸収性物品において、両脚回り部は、腹側胴回り部寄りの位置で外装シートの幅寸法が最も小さくなるように凹状に切り欠き形成され、中央弾性領域は、前記外装シートの幅寸法が最も小さい部分に位置して配設されているものである。
【００１６】
そして、外装シートの両脚回り部の腹側胴回り部寄りの位置の幅寸法が最も小さくなるように両脚回り部を凹状に切り欠き形成することにより、外装シートの形状が下着の形状により近くなり、使用者の肌への密着性がより向上するとともに、腹側胴回り部寄りに中央弾性領域が位置するので、使用者の股間部への吸収体の密着性がより向上する。
【００１７】
請求項５記載の使い捨て吸収性物品は、請求項１ないし４いずれか一記載の使い捨て吸収性物品において、外装シートの幅方向の中心域にて内側シート片および外側シート片の間に非接合部と交差するように配設された弾性体を備え、この弾性体は、前記非接合部の吸収性物品体の長手方向に沿った寸法より大きく吸収体本体の長手寸法より小さい長さ寸法を有しているものである。
【００１８】
そして、非接合部の吸収性物品体の長手方向に沿った寸法より大きく吸収体本体の長手寸法より小さい長さ寸法を有する弾性体を、外装シートの幅方向の中心域にて内側シート片および外側シート片の間に非接合部と交差するように配設することで、中央弾性領域および弾性体により吸収体本体がより確実に浮き上がって使用者の肌に密着し、より確実に漏れを防止する。
【００１９】
【発明の実施の形態】
以下、本発明の使い捨て吸収性物品の第１の実施の形態の構成を図１ないし図４を参照して説明する。
【００２０】
図１において、使い捨て吸収性物品は、例えば使い捨て紙おむつであり、吸収性物品体としてのおむつ体１を備えている。このおむつ体１は、図１に示す展開状態から、図３に示すパンツ形状にすることで、例えば病人、失禁者などの装着者の背部側から腹部側に身体に沿って装着するものである。そして、このおむつ体１は、図１に示すように、吸収体本体２および外装シート３を備え、略矩形状に形成されている。
【００２１】
吸収体本体２は、透液性を有する透液性表面シート４、不透液性を有する不透液性裏面シート５、これら透液性表面シート４と不透液性裏面シート５との間に配設された液吸収性を有する吸収体６を備えている。透液性表面シート４と不透液性裏面シート５とは、周縁部が例えば接着剤などで接合されて吸収体６が内部に封着されている。また、吸収体本体２は、おむつ体１の長手方向に沿って細長矩形状に形成されている。
【００２２】
ここで、透液性表面シート４は、例えば織布、不織布、多孔性フィルム、或いは合成繊維などの、透液性および通気性を有しかつ肌着に近い感触のシート材で形成され、尿などの排泄液を吸収体６へ透過するとともに、身体に直接接触しても不快感を与えないようになっている。
【００２３】
また、不透液性裏面シート５は、例えばポリエチレン（ｐｏｌｙｅｔｈｙｌｅｎｅ）樹脂などの合成樹脂など、不透液性および通気性を有したシート材にて形成され、尿などの排泄液にて例えば下着などの他の衣類、或いはシーツなどの汚れを防止している。
【００２４】
さらに、吸収体６は、例えばパルプを主とする材料であって一部に高分子吸収体などの物質を含んだ材料にてシート状に形成され、尿などの排泄液を充分に吸収する。
【００２５】
また、外装シート３は、透液性表面シート４、不透液性裏面シート５および吸収体６よりも大きく形成され、通気性および不透液性を有する内側シート片１１と外側シート片１２が、厚さ方向に重ね合わせて一体的に接合して形成されている。さらに、外装シート３は、図２に示すように、不透液性裏面シート５の外側面の一部が内側シート片１１に例えば接着剤などにて接合され後述する接合部１３，１３となっており、これら接合部１３，１３の間には、後述する非接合部１４が形成されている。
【００２６】
そして、この外装シート３は、図１に示すように、展開状態で背側胴回り部１５、股下回り部１６および腹側胴回り部１７がおむつ体１の長手方向に順次一体的に形成されるとともに、長手方向に略沿った中心線にて線対称な略矩形状に形成されて、この股下回り部１６の幅方向の両側縁には、略凹弧状に切り欠き形成された脚回り部１８が形成されている。この脚回り部１８は、外装シート３の長手方向の略中心域の幅寸法が最も小さくなるように外装シート３に切り欠き形成されている。このため、外装シート３は、おむつ体１の幅方向に沿った中心線にて線対称になるように形成されている。
【００２７】
また、吸収体本体２は、おむつ体１の外装シート３の長手方向に略沿った状態で、背側胴回り部１５、股下回り部１６および腹側胴回り部１７の略中央に亘って配設されている。
【００２８】
さらに、おむつ体１の外装シート３の背側胴回り部１５は、展開状態におけるおむつ体１の長手方向の一端側に形成され、この展開状態からおむつ体１が適宜折り曲げられて、装着者の腰回りの背部側に位置する部分となっている。そして、この背側胴回り部１５の両外側縁部には、図示しない背側結合部が形成されている。
【００２９】
また、おむつ体１の股下回り部１６は、展開状態における長手方向の中間部に、背側胴回り部１５から腹側胴回り部１７に亘っておむつ体１の長手方向側に連続して一体に形成され、この展開状態からおむつ体１が適宜折り曲げられて、装着者の股下に位置する部分となっている。
【００３０】
そして、おむつ体１の腹側胴回り部１７は、展開状態におけるおむつ体１の長手方向の股下回り部１６の背側胴回り部１５と反対側の他端側に連続して一体に形成され、この展開状態からおむつ体１が適宜折り曲げられて、装着者の腰回りの腹部側に位置する部分となっている。また、この腹側胴回り部１７は、背側胴回り部１５と同様に、おむつ体１の幅方向に略沿った長手方向を有した略矩形状に形成されている。
【００３１】
さらに、腹側胴回り部１７の両外側部近傍には、背側胴回り部１５の背側結合部と接合される図示しない腹側結合部が設けられている。そして、これら腹側結合部を背側結合部と接合することにより、図３に示すように、背側胴回り部１５および腹側胴回り部１７により腰回り開口部２１が形成され、かつ一対の脚回り部１８により一対の脚回り開口部２２が形成されるパンツ形状となる。
【００３２】
また、背側胴回り部１５および腹側胴回り部１７における内側シート片１１および外側シート片１２の間には、図１に示すように、複数本、例えば５本の胴回り弾性体２３がそれぞれ配設されている。これら胴回り弾性体２３は、例えば紐状ゴムなどの伸縮可能な部材であり、おむつ体１の幅方向に伸張した状態で、背側胴回り部１５および腹側胴回り部１７全体に幅方向に沿って接着剤などにてそれぞれ固着され、おむつ体１の長手方向に互いに略等間隔に離間されて配設されている。したがって、これら胴回り弾性体２３は、おむつ体１を図３に示すパンツ形状に形成した際に使用者の胴回りの実質的に略全周に亘って配設される。
【００３３】
さらに、外装シート３の内側シート片１１および外側シート片１２の間には、例えば紐状ゴムなどの複数、例えば２本の脚回り弾性体２４がそれぞれ伸張された状態で配設されている。
【００３４】
これら脚回り弾性体２４は、図２に示すように、脚回り弾性領域３１と、脚回り弾性領域３１から延設された中央弾性領域３２とを備えている。
【００３５】
脚回り弾性領域３１は、両脚回り部１８に沿って凹弧状に使用者の背側に位置する背側脚回り弾性体部３３と、両脚回り部１８に沿って凹弧状に使用者の腹側に位置する腹側脚回り弾性体部３４とを有している。
【００３６】
また、中央弾性領域３２は、背側脚回り弾性体部３３および腹側脚回り弾性体部３４からおむつ体１の幅方向の中心側に延出して吸収体本体２の長手方向の略中心域でこの吸収体本体２と交差する中央弾性体部３５を有している。
【００３７】
そして、脚回り弾性体２４は、一方の脚回り弾性体２４と他方の脚回り弾性体２４とを、外装シート３の内側シート片１１と外側シート片１２との間に対角線状に配設した、平面視略Ｘ字状に形成されている。
【００３８】
すなわち、一方の脚回り弾性体２４は、一方の背側脚回り弾性体部３３、中央弾性体部３５、および、前記一方の背側脚回り弾性体部３３とおむつ体１の幅方向の反対側に位置した一方の腹側脚回り弾性体部３４で構成されている。
【００３９】
また、他方の脚回り弾性体２４は、前記一方の背側脚回り弾性体部３３とおむつ体１の幅方向の反対側に位置した他方の背側脚回り弾性体部３３、中央弾性体部３５、および、前記一方の腹側脚回り弾性体部３４とおむつ体１の幅方向の反対側に位置した他方の腹側脚回り弾性体部３４で構成されている。
【００４０】
このため、各脚回り弾性体２４の中央弾性体部３５の伸張応力は、背側脚回り弾性体部３３の伸張応力と腹側脚回り弾性体部３４の伸張応力との和となり、脚回り部１８には、脚回り弾性体２４にて、おむつ体１の長手方向および幅方向に伸縮性が付与される。
【００４１】
さらに、吸収体本体２の不透液性裏面シート５の接合部１３，１３は、吸収体本体２の不透液性裏面シート５の長手方向の両端部から非接合部１４に亘って、平面視略矩形状に形成されている。
【００４２】
また、非接合部１４は、不透液性裏面シート５と外装シート３の内側シート片１１との接合が剥離されている。すなわち、非接合部１４において、吸収体本体２と外装シート３とは互いに接合されていない。この非接合部１４は、吸収体本体２の幅方向全体に亘って設けられている。さらに、この非接合部１４には、脚回り弾性体２４の中央弾性領域３２の中央弾性体部３５が位置している。
【００４３】
そして、図１に示すように、非接合部１４のおむつ体１の長手方向に沿った寸法Ｌ１は、中央弾性体部３５のおむつ体１の長手方向に沿った寸法Ｌ２より大きく、かつ吸収体６の長手寸法Ｌ３に対して４％以上３０％以下に形成されている。
【００４４】
次に、上記第１の実施の形態の作用効果を説明する。
【００４５】
まず、装着に際しては、図３に示すように、おむつ体１をパンツ形状に形成してパンツのように装着する。
【００４６】
このとき、背側に位置する背側脚回り弾性体部３３および腹側に位置する腹側脚回り弾性体部３４を脚回り部１８に沿ってそれぞれ有する脚回り弾性領域３１を脚回り弾性体２４に設けることで、使用者の脚回りでの密着性が良好になる。
【００４７】
また、中央弾性領域３２に位置して吸収体本体２に外装シート３との接合を剥離した非接合部１４を設けることにより、中央弾性領域３２の中央弾性体部３５が吸収体本体２の剛性の影響を受けにくくなり、中央弾性領域３２が収縮しやすくなる。
【００４８】
このため、図４に示すように、中央弾性領域３２の収縮により非接合部１４に位置した外装シート３が断面視波状に収縮するとともに、非接合部１４に位置した吸収体本体２が、外装シート３から浮き上がって上方、すなわち使用者の肌側に向けて凸弧状に湾曲し、使用者の肌に密着することで、使用者への股下への密着性が向上して漏れを防止できる。
【００４９】
さらに、おむつ体１は、一般に、製造上互いに隣接して連続的に製造され、脚回り弾性体２４も連続的に配設されるため、脚回り弾性体２４の伸張率を脚回り弾性体２４の配設位置によって変化させることは容易ではないが、本実施の形態では、脚回り弾性体２４を、この脚回り弾性体２４の配設位置によって伸張率を変化させることなく略一定の割合でおむつ体１に配設できるので、製造が容易で製造速度を向上でき、結果として製造コストを低減できる。
【００５０】
非接合部１４のおむつ体１の長手方向に沿った寸法Ｌ１を、中央弾性体部３５のおむつ体１の長手方向に沿った寸法Ｌ２より大きく、かつ吸収体６の長手寸法Ｌ３に対して４％以上３０％以下とすることにより、おむつ体１をパンツ形状にした際に脚回り弾性体２４の伸張応力で吸収体６の幅寸法が必要以上に短くなることを防止して、使用者の肌への吸収体６の密着性をより向上でき、より確実に漏れを防止できる。
【００５１】
脚回り弾性体２４を、平面視略Ｘ字状におむつ体１の外装シート３に配設することにより、各脚回り弾性領域３１と中央弾性領域３２とが一体的に作用するとともに、脚回り弾性体２４が外装シート３に対角線状に配設されるので、使用者の肌への密着性をより向上できる。
【００５２】
また、中央弾性領域３２に位置する脚回り弾性体２４の本数が各脚回り弾性領域３１に位置する脚回り弾性体２４の本数よりも多くなるため、中央弾性領域３２の伸張応力が各脚回り弾性領域３１の伸張応力より大きくなるので、吸収体本体２が容易に外装シート３から浮き上がって吸収体６の使用者の股下への密着性を、より向上でき、かつ使用者の脚回りを必要以上に締め付けることがない。
【００５３】
次に、本発明の第２の実施の形態の構成を図５を参照して説明する。なお、上記第１の実施の形態と同様の構成および作用効果については、同一符号を付してその説明を省略する。
【００５４】
この第２の実施の形態では、図５に示すように、両脚回り部１８が、おむつ体１の長手方向の中心域よりも腹側胴回り部１７寄りの位置で外装シート３の幅寸法が最も小さくなるように凹状、例えば凹弧状に切り欠き形成されている。言い換えると、両脚回り部１８は、背側胴回り部１５寄りの位置の径寸法が大きく、腹側胴回り部１７寄りの位置の径寸法が小さくなるように、凹弧状に切り欠き形成されている。このため、両脚回り部１８は、おむつ体１の長手方向について線対称に形成されていない。
【００５５】
非接合部１４および脚回り弾性体２４の中央弾性領域３２は、外装シート３の幅寸法が最も小さい部分に位置して配設されている。すなわち、非接合部１４および中央弾性領域３２は、両脚回り部１８の縁部が互いに最も接近している位置の近傍に配設されている。
【００５６】
そして、外装シート３の両脚回り部１８の腹側胴回り部１７寄りの位置の幅寸法が最も小さくなるように両脚回り部１８を凹弧状に切り欠き形成することにより、外装シート３の形状が下着の形状により近くなり、おむつ体１をパンツ形状にして装着する際に、おむつ体１の使用者の肌への密着性をより向上できる。
【００５７】
また、腹側胴回り部１７寄りに非接合部１４および中央弾性領域３２が位置するので、使用者の股間部への吸収体６の密着性をより向上できる。
【００５８】
次に、本発明の第３の実施の形態の構成を図６および図７を参照して説明する。なお、上記第１の実施の形態と同様の構成および作用効果については、同一符号を付してその説明を省略する。
【００５９】
この第３の実施の形態では、図６および図７に示すように、外装シート３の幅方向の中心域にて、内側シート片１１および外側シート片１２の間に非接合部１４と交差、例えば直交するようにシート状の弾性体４１が直線状に配設されている。
【００６０】
この弾性体４１の長さ寸法Ｌ４は、非接合部１４のおむつ体１の長手方向に沿った寸法Ｌ１より大きく、吸収体本体２の長手寸法Ｌ５より小さく形成されている。
【００６１】
また、弾性体４１は、内側シート片１１および外側シート片１２の間において、脚回り弾性体２４と外側シート片１２との間に配設されている。すなわち、弾性体４１は、内側シート片１１および外側シート片１２の間において、使用者の衣服面側に配設されている。
【００６２】
この結果、おむつ体１の装着時に、図７に示すように、中央弾性領域３２の収縮により非接合部１４に位置した外装シート３が断面視波状に収縮し、非接合部１４に位置した吸収体本体２が、外装シート３から浮き上がって使用者の肌側に向けて凸弧状に湾曲するとともに、外装シート３が吸収体本体２に沿って使用者の肌側に向けて凸弧状に湾曲することで、吸収体本体２が外装シート３から確実に浮き上がって使用者の肌に密着し、より確実に漏れを防止できる。
【００６３】
また、弾性体４１をシート状にしたことにより、吸収体本体２を面状に押し上げできるため、吸収体本体２をより確実に外装シート３から浮き上げできる。
【００６４】
さらに、弾性体４１を、内側シート片１１および外側シート片１２の間において、脚回り弾性体２４と外側シート片１２との間に配設することにより、おむつ体１の製造時に弾性体４１を先に、脚回り弾性体２４を後にそれぞれ配設できる。このため、おむつ体１の製造時に、弾性体４１を配設し、脚回り弾性体２４を平面視略Ｘ字状に移動させながら配設した後すぐに内側シート片１１と外側シート片１２とを互いに貼り合わせでき、脚回り弾性体２４の位置ずれを防止できるので、製造性をより向上できる。
【００６５】
なお、上記第３の実施の形態において、吸収体本体２を外装シート３から確実に浮き上げできれば、弾性体４１は糸状にしてもよい。
【００６６】
また、弾性体４１は、内側シート片１１および外側シート片１２の間において、内側シート片１１と脚回り弾性体２４との間、すなわち使用者の身体面側に配設してもよい。
【００６７】
さらに、上記各実施の形態において、吸収体本体２は、背側胴回り部１５、あるいは腹側胴回り部１７に位置した胴回り弾性体２３に端部が重なるように配設されていてもよい。この場合には、胴回り弾性体２３により吸収体本体２が使用者の身体面に密着するので、背側、あるいは腹側からの漏れを防止できる。
【００６８】
また、吸収体本体２は、両端部が背側胴回り部１５および腹側胴回り部１７にそれぞれ重なるように配設してもよい。
【００６９】
そして、胴回り弾性体２３は、背側胴回り部１５に位置した部分と腹側胴回り部１７に位置した部分とで間隔をそれぞれ変えてもよい。例えば、腰回り開口部２１の近傍の間隔を狭くして配設される本数を多くすると、使用者の腰回りへの密着性が向上する。また、吸収体本体２と重なっている部分の間隔を狭くして配設される本数を多くすると、吸収体本体２の使用者の肌への密着性が向上する。
【００７０】
また、吸収体本体２の幅方向の両側部に、この吸収体本体２の長手方向に沿って図示しないギャザ弾性体を配設し、不透液性裏面シート５およびギャザ弾性体にて立体ギャザを形成して漏れをより確実に防止する構成も可能である。
【００７１】
さらに、一方の脚回り弾性体２４を、一方の背側脚回り弾性体部３３、中央弾性体部３５および他方の背側脚回り弾性体部３３にて構成するとともに、他方の脚回り弾性体２４を、一方の腹側脚回り弾性体部３４、中央弾性体部３５および他方の腹側脚回り弾性体部３４にて構成することで、脚回り弾性体２４を平面視略Ｕ字状に形成してもよい。
【００７２】
そして、脚回り弾性体２４は、各脚回り部１８にそれぞれ複数設けたが、脚回りの密着性を確保できれば、各脚回り部１８に１本ずつ配設してもよい。
【００７３】
また、接合部１３，１３は、吸収体本体２を外装シート３に確実に固定できれば、全面を外装シート３の内側シート片１１に接合する必要はない。
【００７４】
【実施例】
以下、上記第１ないし第３の実施の形態の一実施例を表１を参照して説明する。
【００７５】
本実施例では、非接合部１４のおむつ体１の長手方向に沿った寸法Ｌ１、中央弾性体部３５のおむつ体１の長手方向に沿った寸法Ｌ２および吸収体６の長手寸法Ｌ３の関係を示す実験をした。
【００７６】
まず、外装シート３として、全長、すなわち長手寸法８００ｍｍ、全幅、すなわち幅寸法５６０ｍｍ、股下回り部１６の長手寸法２００ｍｍのものを用いた。
【００７７】
吸収体本体２は、長手寸法５５０ｍｍ、幅寸法１８０ｍｍのものを用いた。
【００７８】
吸収体６は、長手寸法５００ｍｍ、幅寸法１００ｍｍの、高分子吸収材を混合したいわゆるフラッフパルプを用いた。
【００７９】
非接合部１４としては、寸法Ｌ１を、０ｍｍ（非接合部１４なし）、１０ｍｍ、２０ｍｍ、３０ｍｍ、５０ｍｍ、８０ｍｍ、１５０ｍｍおよび２００ｍｍとした各サンプルを用いた。
【００８０】
さらに、中央弾性体部３５の幅寸法を、この中央弾性体部３５を伸張させた状態で１１７ｍｍとなるようにした。
【００８１】
脚回り弾性体２４としては、９４０ｄｔｘのライクラ（登録商標）（東レ・デュポン株式会社製）を２．５倍延伸させた状態で用いた。
【００８２】
また、脚回り弾性体２４は、背側および腹側にそれぞれ３本ずつ、すなわち中央弾性体部３５で６本となるように配設した。
【００８３】
さらに、中央弾性体部３５は、２本ずつ互いに重なるようにし、４ｍｍ間隔で配設した。したがって、寸法Ｌ２は、８ｍｍとなっている。
【００８４】
そして、このように構成したおむつ体１の中央弾性体部３５の幅寸法Ｌ６と、吸収体６の幅寸法Ｌ７とを測定した。
【００８５】
さらに、このおむつ体１をマネキン人形に装着して１００回足踏みさせ、この状態で１時間装着した後、寸法Ｌ６と寸法Ｌ７とを測定した。この結果を、表１に示す。
【００８６】
【表１】
2004248769.tif 000003
【００８７】
表１に示すように、寸法Ｌ６は、おむつ体１の装着後には、略一定で５０ｍｍであるが、装着前において寸法Ｌ１が大きいほど吸収体６の剛性の影響を受けにくくなり収縮しやすくなって、寸法Ｌ１が８０ｍｍ以上のとき略一定になる。
【００８８】
したがって、中央弾性体部３５の収縮力を充分に発揮させるためには、寸法Ｌ１は、８０ｍｍ以上にするのが好ましい（結果１）。
【００８９】
また、吸収体６も同様に、装着前においては、寸法Ｌ１が大きいほど脚回り弾性体２４の影響を受けにくく、不規則なしわが形成されないので、寸法Ｌ７は縮みにくくなり、寸法Ｌ１が１５０ｍｍのとき略限界となる（結果２）。
【００９０】
さらに、おむつ体１の装着後の寸法Ｌ７は、寸法Ｌ１が０ｍｍおよび１０ｍｍの場合に、寸法Ｌ６と同様に約５０ｍｍとなるが、寸法Ｌ１が２０ｍｍより大きくなると、脚回り弾性体２４の収縮による吸収体６の収縮作用が緩和され、寸法Ｌ７が縮みにくくなる。そして、寸法Ｌ１が５０ｍｍ以上になると、寸法Ｌ７は変わらなくなる（結果３）。
【００９１】
したがって、上記結果１ないし３を総合し、非接合部１４のおむつ体１の長手方向に沿った寸法Ｌ１は２０ｍｍ以上１５０ｍｍ以下が好ましいことが分かる。すなわち、非接合部１４のおむつ体１の長手方向に沿った寸法Ｌ１の割合は、吸収体６の長手寸法Ｌ３に対して、４％（２０ｍｍ／５００ｍｍ）以上３０％（１５０ｍｍ／５００ｍｍ）以下の範囲が良好であることが示された。
【００９２】
【発明の効果】
請求項１記載の使い捨て吸収性物品によれば、背側に位置する背側脚回り弾性体部および腹側に位置する腹側脚回り弾性体部を脚回り部に沿ってそれぞれ有する脚回り弾性領域を脚回り弾性体に設けることで、使用者の脚回りでの密着性が良好になり、中央弾性領域に位置して吸収体本体に外装シートとの接合を剥離した非接合部を設けることにより中央弾性体部が吸収体本体の剛性の影響を受けにくくなり中央弾性領域が収縮しやすくなるため、この中央弾性領域の収縮により吸収体本体が外装シートから浮き上がって使用者への股下への密着性を向上できて漏れを防止でき、かつ脚回り弾性体の伸張率を配設位置によって変化させるなどの必要がなく、製造が容易で製造コストを低減できる。
【００９３】
請求項２記載の使い捨て吸収性物品によれば、非接合部の吸収性物品体の長手方向に沿った寸法を、中央弾性領域の吸収性物品体の長手方向に沿った寸法より大きく、かつ吸収体の長手寸法に対して４％以上３０％以下とすることにより、脚回り弾性体の伸張応力で吸収体の幅寸法が必要以上に短くなることを防止して、使用者の肌への吸収体の密着性をより向上でき、より確実に漏れを防止できる。
【００９４】
請求項３記載の使い捨て吸収性物品によれば、各脚回り弾性領域と中央弾性領域とが一体的に作用するとともに、脚回り弾性体が外装シートに対角線状に配設されるので、使用者の肌への密着性をより向上でき、また、中央弾性領域に位置する脚回り弾性体の本数が各脚回り弾性領域に位置する脚回り弾性体の本数よりも多くなるため、中央弾性領域の伸張応力が各脚回り弾性領域の伸張応力より大きくなるので、吸収体本体が容易に外装シートから浮き上がって吸収体の使用者の股下への密着性をより向上でき、かつ脚回りを必要以上に締め付けることがない。
【００９５】
請求項４記載の使い捨て吸収性物品によれば、外装シートの両脚回り部の腹側胴回り部寄りの位置の幅寸法が最も小さくなるように両脚回り部を凹状に切り欠き形成することにより、外装シートの形状が下着の形状により近くなり、使用者の肌への密着性をより向上できるとともに、腹側胴回り部寄りに中央弾性領域が位置するので、使用者の股間部への吸収体の密着性をより向上できる。
【００９６】
請求項５記載の使い捨て吸収性物品によれば、非接合部の吸収性物品体の長手方向の寸法より大きく吸収体本体の長手寸法より小さい長さ寸法を有する弾性体を、外装シートの幅方向の中心域にて内側シート片および外側シート片の間に非接合部と交差するように配設することで、中央弾性領域および弾性体により吸収体本体がより確実に浮き上がって使用者の肌に密着し、より確実に漏れを防止できる。
【図面の簡単な説明】
【図１】本発明の使い捨て吸収性物品の第１の実施の形態を一部を切り欠いて示す平面図である。
【図２】同上使い捨て吸収性物品の一部を省略して示す平面図である。
【図３】同上使い捨て吸収性物品を示す斜視図である。
【図４】同上使い捨て吸収性物品を示す図２のＡ−Ａ断面図である。
【図５】本発明の使い捨て吸収性物品の第２の実施の形態を示す平面図である。
【図６】本発明の使い捨て吸収性物品の第３の実施の形態を示す平面図である。
【図７】同上使い捨て吸収性物品を示す図６のＢ−Ｂ断面図である。
【符号の説明】
１    吸収性物品体としてのおむつ体
２    吸収体本体
３    外装シート
４    透液性表面シート
５    不透液性裏面シート
６    吸収体
１１    内側シート片
１２    外側シート片
１４    非接合部
１５    背側胴回り部
１６    股下回り部
１７    腹側胴回り部
１８    脚回り部
２１    腰回り開口部
２２    脚回り開口部
２４    脚回り弾性体
３１    脚回り弾性領域
３２    中央弾性領域
３３    背側脚回り弾性体部
３４    腹側脚回り弾性体部
３５    中央弾性体部
４１    弾性体
【図１】
2004248769.tif 000004
【図２】
2004248769.tif 000005
【図３】
2004248769.tif 000006
【図４】
2004248769.tif 000007
【図５】
2004248769.tif 000008
【図６】
2004248769.tif 000009
【図７】
2004248769.tif 000010